(57)【要約】【課題】  冷却ファンを有する音声（または映像及び音声）記録装置において、回路構成を複雑化することなく、記録音声への冷却ファンの騒音の混入を防止する。【解決手段】  少なくとも音声を記録する記録手段と、装置内部を冷却する冷却ファン２２とを有する記録装置において、装置内部の温度を検出する温度センサ１８〜２１と、この記録手段で記録が開始されると、温度センサ１８〜２１の検出温度が所定温度に上昇するまで冷却ファン２２を停止させておき、温度センサ１８〜２１の検出温度がこの所定温度に達すると冷却ファン２２を回転させる制御手段１２とを備える。【選択図】  図２
2007004872.tif 000002
【特許請求の範囲】
【請求項１】
少なくとも音声を記録する記録手段と、
装置内部を冷却する冷却ファンと
を有する記録装置において、
装置内部の温度を検出する温度センサと、
前記記録手段で記録が開始されると、前記温度センサの検出温度が所定温度に上昇するまで前記冷却ファンを停止させておき、前記温度センサの検出温度が前記所定温度に達すると前記冷却ファンを回転させる制御手段と
を備えたことを特徴とする記録装置。
【請求項２】
請求項１に記載の記録装置において、
通常モードと消音モードとを切り換えて指定する操作手段
をさらに備え、
前記制御手段は、前記通常モードが指定された場合、前記冷却ファンを所定の回転速度で常時回転させ、前記消音モードが指定された場合、前記記録手段で記録が開始されると、前記温度センサの検出温度が所定温度に上昇するまで前記冷却ファンを停止させておき、前記温度センサの検出温度が前記所定温度に達すると前記冷却ファンを前記所定の回転速度よりも高速で回転させる
ことを特徴とする記録装置。
【請求項３】
請求項２に記載の記録装置において、
前記制御手段は、前記消音モードが指定された場合、前記記録手段で記録が開始されるまで、前記冷却ファンを前記所定の回転速度よりも高速で回転させる
ことを特徴とする記録装置。
【請求項４】
請求項１に記載の記録装置において、
装置内に設けられた複数の基板にそれぞれ対応して前記温度センサが複数設けられており、
前記制御手段は、前記記録手段で記録が行われている期間に、いずれかの前記温度センサの検出温度が前記所定温度に達すると前記冷却ファンを回転させる
ことを特徴とする記録装置。
【請求項５】
少なくとも音声を記録する記録手段と、
装置内部を冷却する冷却ファンと
を有する記録装置の記録音声への前記冷却ファンのノイズの混入を防止する方法において、
装置内部の温度を検出し、
前記記録手段で記録が開始されると、前記温度センサの検出温度が所定温度に上昇するまで前記冷却ファンを停止させておき、前記検出温度が前記所定温度に達すると前記冷却ファンを回転させる
ことを特徴とするノイズ混入防止方法。
【発明の詳細な説明】
【技術分野】
【０００１】
本発明は、冷却ファンを有する音声（または映像及び音声）記録装置に関し、特に、冷却ファンの騒音が記録音声に混入することを防止するようにしたものに関する。
【背景技術】
【０００２】
近年、放送業務用のＶＴＲは、高画質記録が可能な記録フォーマットを採用したり、マルチフレームレートに対応するなど、高機能化が進んでおり、それに伴って消費電力が増大している。
【０００３】
また、収録現場で放送用カメラに取り付けることができるように小型化された、バッテリー駆動のポータブルＶＴＲも登場している。
【０００４】
そうしたポータブルＶＴＲでは、消費電力が大きいことや、バッテリーから熱が発生することや、装置の体積が小さいことから装置内の温度が上昇し、自然空冷によっては温度を下げることが困難である。そのため、装置内に冷却ファンを設けて、強制空冷を行うようにしている。
【０００５】
しかし、そうしたポータブルＶＴＲを放送用カメラに取り付けて収録を行うと、放送用カメラの付属マイクロフォン（あるいは放送用カメラの近くにある別のマイクロフォン）で冷却ファンの騒音が拾われることにより、ポータブルＶＴＲに記録される音声にこの騒音が混入されてしまう。
【０００６】
従来、こうした記録音声への冷却ファンの騒音の混入を低減するための技術としては、冷却ファンの回転に同期したノイズ基準信号を適応信号処理回路に入力させ、冷却ファンの回転周波数を基本周波数とする高調波成分をこの適応信号処理回路で除去するという技術が提案されていた（例えば、特許文献１参照。）。
【０００７】
【特許文献１】特開２００４−９５１３０号公報（段落番号００２６，００５１〜００５３、図１，４）
【発明の開示】
【発明が解決しようとする課題】
【０００８】
しかし、上記従来の技術では、適応信号処理回路を設けなければならないので、装置の回路構成が複雑化してしまう。また、冷却ファンの基本周波数の高調波成分を除去することができても、記録音声への冷却ファンの騒音の混入を完全に防止することは困難である。
【０００９】
本発明は、上述の点に鑑み、例えば放送業務用のポータブルＶＴＲのような、冷却ファンを有する音声（または映像及び音声）記録装置において、回路構成を複雑化することなく、記録音声への冷却ファンの騒音の混入を防止することを課題としてなされたものである。
【課題を解決するための手段】
【００１０】
この課題を解決するために、本発明は、少なくとも音声を記録する記録手段と、装置内部を冷却する冷却ファンとを有する記録装置において、装置内部の温度を検出する温度センサと、この記録手段で記録が開始されると、この温度センサの検出温度が所定温度に上昇するまでこの冷却ファンを停止させておき、この温度センサの検出温度がこの所定温度に達するとこの冷却ファンを回転させる制御手段とを備えたことを特徴とする。
【００１１】
この記録装置では、音声の記録が開始されると、温度センサで検出される装置内部の温度が所定温度に上昇するまで、冷却ファンを停止させておく制御が行われる。したがって、装置内部の温度が所定温度に上昇するまでの期間は、冷却ファンが停止しているので、冷却ファンの騒音を全く混入させることなく音声を記録することができる。
【００１２】
その後、装置内部の温度がこの所定温度に達すると、冷却ファンを回転させる制御が行われる。これにより、装置内部の温度が下がっていく。この冷却ファンの回転中は記録を停止しておき、装置内部の温度が十分下がった後に記録を再開すると、再び冷却ファンを停止させる制御が行われるので、装置内部の温度が所定温度に上昇するまでの期間、冷却ファンの騒音を全く混入させることなく音声を記録することができる。
【００１３】
このようにして、この記録装置によれば、或る期間ずつ周期的に、冷却ファンの騒音を全く混入させることなく音声を記録することができる。したがって、連続的に記録を行う時間がこの期間の範囲内であれば、記録音声への冷却ファンの騒音の混入を完全に防止することができる。
【００１４】
そして、制御手段としては記録装置内に元々設けられているプロセッサ等を利用すれば足り、新たに追加するのは温度センサだけなので、回路構成を複雑化することもない。
【００１５】
次に、本発明は、少なくとも音声を記録する記録手段と、装置内部を冷却する冷却ファンとを有する記録装置の記録音声への冷却ファンのノイズの混入を防止する方法において、装置内部の温度を検出し、この記録手段で記録が開始されると、この温度センサの検出温度が所定温度に上昇するまでこの冷却ファンを停止させておき、この検出温度がこの所定温度に達すると冷却ファンを回転させることを特徴とする。
【００１６】
このノイズ混入防止方法によれば、前述の本発明に係る記録装置について述べたのと全く同様にして、回路構成を複雑化することなく、記録音声への冷却ファンの騒音の混入を防止することができる。
【発明の効果】
【００１７】
本発明によれば、冷却ファンを有する音声（または映像及び音声）記録装置において、回路構成を複雑化することなく、記録音声への冷却ファンの騒音の混入を防止できるという効果が得られる。
【発明を実施するための最良の形態】
【００１８】
以下、放送業務用のポータブルＶＴＲに本発明を適用した例について、図面を用いて具体的に説明する。
【００１９】
図１は、本発明を適用したＶＴＲの外観構成を示す図である。このＶＴＲ１は、収録現場で放送用カメラ２に取り付けることができるように小型化された、バッテリー駆動の放送業務用ポータブルＶＴＲである。
【００２０】
図２は、このＶＴＲ１の内部構成のうち、本発明に関連する部分を示すブロック図である。ＶＴＲ１内には、システムコントロール基板（シスコン基板と略称する）１１，電源基板１４，信号処理基板１５〜１７といった複数の基板が設けられている。
【００２１】
シスコン基板１１には、装置全体を制御するＣＰＵ１２等が搭載されている。電源基板１４，信号処理基板１５，１６，１７には、基板本来の用途のための回路以外に、基板の温度を検出する温度センサ１８，１９，２０，２１がそれぞれ搭載されている。これらの温度センサ１８〜２１の検出出力は、ＣＰＵ１２に送られる。
【００２２】
また、ＶＴＲ１内には、強制空冷を行うための冷却ファン２２が設けられている。ＣＰＵ１２は、アンプ１３を介して、この冷却ファン２２の駆動部（モータ）に制御電圧を供給する。
【００２３】
また、図示は省略するが、ＶＴＲ１は、ワイヤードで接続されるコントロールパネルによって各種の設定が行われるようになっている。その設定内容には、冷却ファン２２を「通常モード」にするか「消音モード」にするかのモード設定も含まれており、このモード設定結果を示す情報がＣＰＵ１２に送られる。
【００２４】
図３は、このモード設定結果に応じてＣＰＵ１２が実行する冷却ファン２２の制御処理を示すフローチャートである。この処理は、ＶＴＲ１の電源が投入されるとスタートし、最初に、現在設定されている冷却ファン２２のモードが、消音モードであるか否かを判断する（ステップＳ１）。
【００２５】
消音モードであれば、現在映像及び音声を記録している状態（ＲＥＣ釦が操作された状態）であるか否かを判断する（ステップＳ２）。
【００２６】
ノーであれば（消音モードで記録中でなければ）、冷却ファン２２をほぼ最大回転速度で高速回転させる制御電圧（一例として１２Ｖとする）を、冷却ファン２２の駆動部に供給する（ステップＳ５）。そして、ステップＳ１に戻る。
【００２７】
他方イエスであれば（消音モードで記録中であれば）、温度センサ１８〜２１の検出出力に基づき、電源基板１４，信号処理基板１５〜１７のうちのいずれかの基板の温度が異常（例えば７０℃以上とする）になっているか否かを判断する（ステップＳ３）。ノーであれば、冷却ファン２２を停止させておく（ステップＳ４）。そして、ステップＳ１に戻る。他方、ステップＳ３でイエスであれば、ステップＳ５に進む（冷却ファン２２をほぼ最大回転速度で高速回転させる）。
【００２８】
ステップＳ１でノーであった場合（通常モードである場合）には、冷却ファン２２を最大回転速度よりも低い通常の速度で回転させる制御電圧（一例として９Ｖとする）を、冷却ファン２２の駆動部に供給する（ステップＳ６）。そして、ステップＳ１に戻る。
【００２９】
次に、このＶＴＲ１を図１のように放送用カメラ２に取り付けて収録を行う様子について説明する。ＶＴＲ１を放送用カメラに取り付けて収録を行うときに、冷却ファン２２が回転していると、放送用カメラ２の付属マイクロフォン（あるいは放送用カメラの近くにある別のマイクロフォン）で冷却ファン２２の騒音が拾われることにより、ＶＴＲ１に記録される音声にこの騒音が混入されてしまう。
【００３０】
そこで、収録を行う前に、冷却ファン２２のモードを消音モードに設定しておく。すると、収録を開始するまで（ＲＥＣ釦を操作するまで）は、図３のステップＳ１，Ｓ２，Ｓ５が繰り返されて、冷却ファン２２をほぼ最大回転速度で高速回転させる制御が行われる（通常モード時よりも冷却ファン２２の回転速度が上げられる）。これにより、収録開始直前の電源基板１４，信号処理基板１５〜１７の温度は、通常モードでの温度よりも低くなる。
【００３１】
そして、収録を開始すると、電源基板１４，信号処理基板１５〜１７のうちのいずれかの基板の温度が７０℃に上昇するまで、図３のステップＳ１，Ｓ２，Ｓ３，Ｓ４が繰り返されて、冷却ファン２２を停止させる制御が行われる。したがって、いずれかの基板の温度が７０℃に上昇するまでの期間は、冷却ファン２２が停止しているので、冷却ファン２２の騒音を全く混入させることなく音声を記録することができる。
【００３２】
その後、電源基板１４，信号処理基板１５〜１７のうちのいずれかの基板の温度が７０℃に達すると、図３の処理のステップＳ１，Ｓ２，Ｓ３，Ｓ５が繰り返されて、冷却ファン２２を高速回転させる制御が行われる。これにより、その基板の温度が下がっていく。この冷却ファン２２の回転中は収録を停止しておき、基板の温度が十分下がった後に収録を再開すると、再び冷却ファン２２を停止させる制御（図３のステップＳ１，Ｓ２，Ｓ３，Ｓ４）が行われるので、基板の温度が７０℃に上昇するまでの期間、冷却ファン２２の騒音を全く混入させることなく音声を記録することができる。
【００３３】
このようにして、このＶＴＲ１によれば、或る期間ずつ周期的に、冷却ファン２２の騒音を全く混入させることなく音声を記録することができる。したがって、連続的に収録を行う時間がこの期間の範囲内であれば、記録音声への冷却ファン２２の騒音の混入を完全に防止することができる。
【００３４】
また、収録を開始するまで冷却ファン２２をほぼ最大回転速度で高速回転させることにより、収録開始直前の基板の温度を低くしているので、基板の温度が７０℃に上昇するまでの期間が長くなり、その結果より長い期間に亘って冷却ファン２２を停止させることができる。
【００３５】
また、基板の温度が７０℃に達すると冷却ファン２２をほぼ最大回転速度で高速回転させるので、迅速に基板の温度を下げて（収録期間と次の収録期間とのインターバルを最小限にして）収録を行うことができる。
【００３６】
また、電源基板１４，信号処理基板１５，１６，１７にそれぞれ温度センサ１８，１９，２０，２１を搭載しているので、各基板の温度を正確に検出して冷却ファン２２を制御することができる。
【００３７】
そして、ＣＰＵ１２はＶＴＲ１内に元々設けられており、冷却ファン２２の制御のために新たに追加するのは温度センサ１８〜２１だけなので、回路構成を複雑化することもない。
【００３８】
図４は、図３の処理による収録開始時からの基板（図２の電源基板１４，信号処理基板１５〜１７のうちの１つの基板）の温度変化の測定例を示す図である。なお、この図では、図３の処理による消音モード，通常モードでの測定結果をそれぞれ示すだけでなく、図５に示すような冷却ファン２２の制御処理を行った場合の測定結果も示している。この図５の処理は、ステップＳ２でノーあった場合（消音モードで記録中でない場合）にステップＳ６に進む（冷却ファン２２を通常モードと同じ速度で回転させる）点を除いては、図３の処理と全く同じである。
【００３９】
図４に示すように、図５の処理を行った場合には、収録開始時（横軸の０分）の基板の温度は、通常モードでの収録開始時の温度と同じである。そして、時間の経過につれて基板の温度が上昇していき、約２８分経過すると約７０℃に達する。したがって、連続して３０分近く、冷却ファン２２の騒音を全く混入させることなく音声を記録することができる。
【００４０】
これに対し、図３の処理を実行した場合には、消音モードで記録中でない場合に冷却ファン２２を通常モード時よりも高速回転させることから、消音モードでの収録開始時の基板の温度が、通常モードでの収録開始時の温度よりも低くなっている。その結果、図５の処理を行った場合よりも長い時間である約３２分が経過するまで、基板の温度が約７０℃に達しない。したがって、より長い時間（３０分余り）連続して、冷却ファン２２の騒音を全く混入させることなく音声を記録することができる。
【００４１】
例えば、テレビジョン番組や映画の収録では、３０分程度を１テイクとして収録を行うことが少なくない。また、ＶＴＲ用のテープカセットには、１巻の記録時間が３０分程度の長さのものも存在する。したがって、図３の処理を実行することにより、１テイクの間冷却ファン２２の騒音を全く混入させることなく音声を記録することや、テープカセット１巻分の間程冷却ファン２２の騒音を全く混入させることなく音声を記録することが可能になる。
【００４２】
なお、以上の例では、放送業務用のポータブルＶＴＲに本発明を適用している。しかし、本発明は、これに限らず、冷却ファンを有するあらゆる音声（または映像及び音声）記録装置に適用することができる。
【図面の簡単な説明】
【００４３】
【図１】本発明を適用したＶＴＲの外観構成を示す図である。
【図２】図１のＶＴＲ１の内部構成のうち本発明に関連する部分を示すブロック図である。
【図３】図２のＣＰＵが冷却ファンの制御のために実行する処理を示すフローチャートである。
【図４】収録開始時からの基板の温度変化の測定例を示した図である。
【図５】図３の処理の一部を変更した例を示すフローチャートである。
【符号の説明】
【００４４】
１  ＶＴＲ、  ２  放送用カメラ、  １１  システムコントロール基板、  １２  ＣＰＵ、  １３  アンプ、  １４  電源基板、  １５〜１７  信号処理基板、  １８〜２１  温度センサ、  ２２  冷却ファン
【図１】
2007004872.tif 000003
【図２】
2007004872.tif 000004
【図３】
2007004872.tif 000005
【図４】
2007004872.tif 000006
【図５】
2007004872.tif 000007